(57)【要約】【課題】植替え後の作業量を低減しつつ、品質の良い果実の収穫量を多くすることを可能にする。【解決手段】実生の台木を植替えた後に穂木を接ぎ木する苗木の生産方法であって、台木の植替え先の土壌が所定の弱酸性でない場合に、土壌の酸性度を所定の弱酸性に調整する酸性度調整工程と、台木の植替え前に、土壌に対して大豆及びトウモロコシを含む飼料を元肥として施肥する元肥工程とを含むことを特徴とする。【選択図】    図２
2019058137.tif 000002
【特許請求の範囲】
【請求項１】
実生の台木を植替えた後に穂木を接ぎ木する苗木の生産方法であって、
前記台木の植替え先の土壌が所定の弱酸性でない場合に、前記土壌の酸性度を所定の弱酸性に調整する酸性度調整工程と、
前記台木の植替え前に、前記土壌に対して大豆及びトウモロコシを含む飼料を元肥として施肥する元肥工程と
を含むことを特徴とする苗木の生産方法。
【請求項２】
請求項１に記載の苗木の生産方法において、
前記台木は、
実生の株から所定の方向に離れた所定位置のみに対し、発根時期以外の期間に施肥する株施肥工程を含む方法で生産したものであること
を特徴とする苗木の生産方法。
【発明の詳細な説明】
【技術分野】
【０００１】
本発明は、苗木の生産方法に関する。
【背景技術】
【０００２】
植物には、花が咲いた後に食用となる果実を成らせるものがある。例えば、食用の果実の１つであるウンシュウミカンは、接ぎ木によって繁殖が行われ、土をポリエチレンフィルムなどのマルチシートで覆うマルチ栽培などによって糖度が向上させられて、出荷先の要望に応じたサイズや形状の果実を出荷することが行われている。また、品質の良い果実の収穫量を多くするために適した栽植距離なども多く提案されている。このように、果実を実らせる植物は、品質を向上させ、収穫量を多くさせるためにさまざまな技術・方法が適用されている。
【０００３】
例えば、ウンシュウミカンを植栽する場合に、栽植距離が約３．６ｍ×約５．５ｍとなる長方形植にして、約１０ａ当たりの植栽本数を５０本にすることが提案されている（例えば非特許文献１参照）。また、ウンシュウミカンは、裁植本数を多くして、若木時から成木と同等の収穫を可能にし、木が大きくなって過密になると間伐を行う密植栽培も提案されている。
【先行技術文献】
【非特許文献】
【０００４】
【非特許文献１】高橋郁郎、「柑橘」、桜会出版部、大正１５年、ｐ．１１５−１１６
【発明の概要】
【発明が解決しようとする課題】
【０００５】
例えば、従来のウンシュウミカンの栽培では、苗木に対して主幹の切り戻し、根の切り詰めを行い、１本ずつ植え付けるための大きな植え穴を掘って定植を行っていた。また、剪定、マルチシートを敷く作業、毎年の摘果など、定植後にも多くの作業が必要であった。また、従来は、十分に収穫量を多くするためには、木を大きく育てる必要があり、収穫量が多くなるまでに時間がかかるという問題があった。さらに、木が大きく育つと、高い場所の果実の収穫が大変になっていた。また、従来は、隔年結果になることが多かった。
【０００６】
本発明は、植替え後の作業量を低減しつつ、品質の良い果実の収穫量を多くすることを可能にする苗木の生産方法を提供することを目的とする。
【課題を解決するための手段】
【０００７】
本発明の一態様にかかる苗木の生産方法は、実生の台木を植替えた後に穂木を接ぎ木する苗木の生産方法であって、前記台木の植替え先の土壌が所定の弱酸性でない場合に、前記土壌の酸性度を所定の弱酸性に調整する酸性度調整工程と、前記台木の植替え前に、前記土壌に対して大豆及びトウモロコシを含む飼料を元肥として施肥する元肥工程とを含むことを特徴とする。これにより、台木に対して効果的にタンパク質、サイトカイニン及びオーキシンを与えることができ、苗木を生殖生長に傾けることができる。
【０００８】
また、本発明の一態様にかかる苗木の生産方法において、前記台木は、実生の株から所定の方向に離れた所定位置のみに対し、発根時期以外の期間に施肥する株施肥工程を含む方法で生産したものであることを特徴とする。これにより、根に濃度の高い肥料を与えることを防止することと、肥料による発根時期のずれを防止することができるので、根の成長を促すことができる。また、根の伸びる方向も所定の方向に仕向けることができる。
【発明の効果】
【０００９】
本発明は、植替え後の作業量を低減しつつ、品質の良い果実の収穫量を多くすることを可能にすることができる。
【図面の簡単な説明】
【００１０】
【図１】一実施形態にかかる柑橘類の栽培方法によるミカンの木の栽培の形態の一例を示す図である。
【図２】（ａ）は、実施例におけるミカンの苗木を示す図である。（ｂ）は、比較例におけるミカンの苗木を示す図である。
【図３】（ａ）は、カラタチなどの台木の種を蒔いた状態の一例を模式的に示す図である。（ｂ）は、実生の台木の株を二列植えした状態の一例を模式的に示す図である。
【図４】（ａ）は、苗木の生産の１年目のスケジュール例を示す図である。（ｂ）は、苗木の生産の２年目のスケジュール例を示す図である。（ｃ）は、苗木の生産の３年目のスケジュール例を示す図である。
【図５】苗木を生産する場合の施肥設計を例示する図である。
【図６】苗木を植える植え溝を形成する様子の一例を模式的に示した図である。
【図７】ブルドーザにより複数の植え溝を形成する過程の一例を模式的に示す図である。
【図８】乾燥を抑制された苗木を植え溝に並べた状態の一例を示す図である。
【図９】削った土を植え溝へ寄せて、苗木それぞれの根に土をかぶせた状態の一例を模式的に示す図である。
【図１０】作業道に水はけ溝を形成する方法の一例を模式的に示す図である。
【図１１】果樹園における水はけ溝の形成例の一例を模式的に示す図である。
【図１２】果樹園における水はけ溝の形成の変形例の一例を模式的に示す図である。
【図１３】（ａ）は、定植された実施例の苗木を示す図である。（ｂ）は、定植された比較例の苗木を示す図である。
【図１４】比較例の苗木が定植された状態の一例を示す図である。
【図１５】定植１年目の栽培管理スケジュールの一例を示す図である。
【図１６】定植後２年目の栽培管理スケジュールの一例を示す図である。
【図１７】定植後３年目〜１５年目までの栽培管理スケジュールの一例を示す図である。
【図１８】（ａ）は、２つのミカンの木の列と、作業道との位置関係の一例を模式的に示す図である。（ｂ）は、１列のミカンの木の状態の一例を模式的に示す図である。
【図１９】定植後数年経過した比較例のミカンの木の収穫時期の状態の一例を模式的に示す図である。
【図２０】従来のミカンの木の栽培の形態の一例を示す図である。
【発明を実施するための形態】
【００１１】
以下に、図面を用いて柑橘類の栽培方法の一実施形態を説明する。ここでは、一例として、ウンシュウミカン（以下、単にミカン）を用いて柑橘類の栽培方法の一実施形態を説明する。
【００１２】
図２０は、従来のミカンの木１０の栽培の形態の一例を示す図である。従来は、例えば山の斜面に対し、切土又は盛土を行って平地１０１を作り、法面に石垣１０２又は防風垣を設けて、平地１０１にミカンの木１０を定植していた。ミカンの木１０は、地域、地形及び土壌の状態などによって栽培条件が異なってくるが、日本では、水はけがよく、土壌が肥えすぎず、西向きで日照時間が長く、風通しのよい海沿いの温暖な山の斜面に植栽されることが多い。
【００１３】
図１は、一実施形態にかかる柑橘類の栽培方法によるミカンの木２０の栽培の形態の一例を示す図である。図１に示すように、一実施形態にかかる柑橘類の栽培方法では、ミカンの木２０は、果樹園内に複数の列を形成するように栽植される。具体的には、ミカンの木２０は、列間Ａが約４ｍ、樹間（木間）Ｂが約１ｍとなるように苗木の段階で定植され、例えば１０ａ当たり約２５０本となるように密植栽培される。列間Ａ、樹間Ｂは、間隔が１０％程度ずれていてもよい。このように、列間Ａが広いため、ミカンの木２０には十分な日光が照射され、表土も乾燥しやすくなっている。
【００１４】
また、列間Ａには、幅が約２ｍの作業道Ｃが形成されている。作業道Ｃは、ブルドーザやスピードスプレーヤ（ＳＳ）などの作業機械が通ることができるようにされている。列間Ａが適度な間隔であるため、ＳＳによる農薬や液肥の散布、及び収穫作業なども容易である。
【００１５】
このように、十分な日光を確保されつつ密植栽培されたミカンの木２０は、後述する方法により生殖生長に傾く期間が長くされ、若木時から成木と同等の果実を実らせ、大木になることを抑制されて、糖度の高い良質な果実を連年結果させる。以下、ミカンの木２０の栽培方法の実施例として、苗木、定植、及び栽培管理について順に説明する。
【００１６】
（苗木）
まず、ミカンの木２０の苗木について説明する。作業者は、以下に示す方法によってミカンの木２０の苗木２１を生産する。
【００１７】
図２は、ミカンの苗木の実施例と比較例を示す図である。図２（ａ）は、実施例におけるミカンの木２０の苗木２１を示す。図２（ｂ）は、比較例におけるミカンの木１０の苗木１１を示す。
【００１８】
図２（ａ）に示すように、実施例におけるミカンの木２０の苗木２１は、例えばカラタチの台木２１０に対し、結果数が相対的に多い他のミカンの木２０から取得された穂木２１１を接ぎ木されることによって生産される（接ぎ木工程）。ここで、穂木２１１は、樹高が高くなく、結果数が相対的に多い木から優先させて取得されることにより、苗木２１に果実の成りグセをもった生殖生長の特徴を引き継がせる。穂木２１１は、節間が短いほどよく、例えば節間が約２〜３ｃｍのものが接ぎ木のために選択される。穂木２１１は、先端に近いほど葉が小さくなっているものが好ましい。また、苗木２１に対しては、台木２１０の根の切り詰めをせず、接ぎ木した穂木２１１の芽かき及び主幹の切り戻しをすることなく、所定の高さを超えた場合に摘心する（摘心工程）。
【００１９】
苗木２１は、根の切り詰めをされないことにより、太い主根が伸びて水分だけを吸収するいわゆるパイオニアルート１２が形成されることが抑制されている。つまり、苗木２１は、地中に深く向かって伸びる傾向のあるパイオニアルート１２の形成が抑制されるので、横方向にも広がりやすい多くの細根２２の形成が促される。ここで、細根２２とは、養分を吸収する能力の高い側根及び根毛などを含み、例えば太さが２ｍｍ以下の根であるとする。特に、太さが１ｍｍ以下の側根及び根毛は、生理活性が高く、多くの養分を吸収する。
【００２０】
また、苗木２１は、高さ方向の成長を促す主幹の切り戻しをされることなく、腋芽が取り除かれないことにより、養分が頂芽に集中することを防止され、高さ方向よりも横方向に広がる枝分かれ苗になる。苗木２１が枝分かれ苗にされることは、太い主根の形成を抑えることと、細根２２の数を増やすことに寄与している。また、苗木２１の太い主根の形成が抑えられることと、細根２２の数が増やされることは、苗木２１が枝分かれ苗になることに寄与している。
【００２１】
このように、苗木２１は、太い主根の形成が抑えられ、細根２２の数が増やされて、枝分かれ苗にされることにより、高く大きな木に育っていく栄養生長（栄養成長）に強く傾くことなく、短期間で容易に強く生殖生長（生殖成長）に傾けることができるようにされている。
【００２２】
その後、枝分かれ苗にされた苗木２１は、頂芽優勢となることを防止するために、例えば４０ｃｍの高さを超えた場合に摘心（摘芯、ピンチ）される。苗木２１の高さが高くならず、十分に枝分かれしていれば、摘心は行われなくてもよい。このように、苗木２１は、枝と根の両方が縦ではなく横に成長させられる樹形の基礎を形成されている。
【００２３】
一方、図２（ｂ）に示すように、比較例におけるミカンの木１０の苗木１１は、例えばカラタチの台木１１０に対して穂木１１１が接ぎ木された立木仕立ての一本苗（棒苗）である。比較例の穂木１１１は、大きく育った他のミカンの木１０から取得されている。つまり、穂木１１１は、大きく育つ栄養生長の特徴を苗木１１に引き継がせる。そして、苗木１１は、台木１１０の根が切り詰められ、接ぎ木した穂木１１１の腋芽が取り除かれて、主幹が切り戻しされている。つまり、苗木１１は、地中に深く向かって伸びる傾向のあるパイオニアルート１２の形成が促され、主幹が上方に伸びることが促されて、高く大きな木に育っていく栄養生長に強く傾けられている。
【００２４】
次に、実施例におけるミカンの木２０の苗木２１の生産方法について説明する。
【００２５】
図３は、実生の台木２１０を生産する手順を示す図である。図３（ａ）は、カラタチなどの台木２１０の種２１２を蒔いた状態の一例を模式的に示す図である。図３（ｂ）は、実生の台木２１０の株２１３を二列植えした状態の一例を模式的に示す図である。
【００２６】
図３（ａ）に示すように、台木２１０の種２１２は、水田などに複数の種の列を作るように蒔かれ、発芽させられて、約１年間そのまま養生させられることにより、実生の台木２１０の株２１３となる。図３（ｂ）に示すように、実生の台木２１０の株２１３は、２年目に二列植えを単位として、例えば１０ａ当たり約１５０００本〜１６０００本が植えられる。
【００２７】
株２１３は、二列植えにおいて、株間Ｅが約１２．５ｃｍにされ、列間Ｆが約２１ｃｍにされている。また、二列植えと二列植えの間となる大間Ｇは、約６０〜７０ｃｍにされている。よって、大間Ｇは、株２１３に対して施肥を行う機械が通ることも可能である。
【００２８】
その後、株２１３に対する施肥は、大間Ｇへの施肥のみによって行われる。つまり、株２１３に対する施肥は、株２１３の周りに行われるのではなく、当該株２１３から所定の方向に離れた所定位置の表層に行われる（株施肥工程）。このように、株２１３は、所定の方向に離れた所定位置の表層に施肥されることにより、根が地中に向かうのではなく肥料のある横方向に伸びることとなる。つまり、株２１３は、土地の表層に伸びる細根２２（表層根）が多くなるように仕向けられている。
【００２９】
また、株２１３が表層から養分を吸収するので、施肥量に対する養分の吸収の効率がよくなり、施肥量を従来よりも減らすことができる。ここで、株２１３に対する年間の総施肥量（主に窒素）は従来よりも２〜３割程度少なくなるが、施肥回数は従来よりも多くされている。このように、少量の施肥を多くの回数に分けて行うことにより、１回に施肥される肥料の濃度を低くして、高濃度の肥料による細根２２の発育不良が発生することを防止している。また、株２１３は、細根２２が表層で横方向に伸びることにより、生殖生長の状態に傾けられて成長し、枝分かれもさらに促進される。
【００３０】
株２１３は、種２１２が蒔かれてから約２年経過後に、細根２２が枯れないように植えられたままで地上約５ｃｍの位置で切られて台木２１０にされ、穂木２１１が接ぎ木される。穂木２１１が接ぎ木された株２１３は、先端の春芽が摘まれる。そして、接ぎ木された株２１３は、例えば２年目と同様に施肥が行われて約１年成長させられ、生殖生長に傾いた３年生の苗木２１となって定植に用いられる。なお、肥培管理は、株２１３の状態に応じて行われる。
【００３１】
図４は、実生の台木２１０を用いて苗木２１を生産する場合の生産スケジュール例を示す図である。図４（ａ）は、苗木２１の生産の１年目のスケジュール例を示す。図４（ｂ）は、苗木２１の生産の２年目のスケジュール例を示す。図４（ｃ）は、苗木２１の生産の３年目のスケジュール例を示す。また、図５は、苗木２１を生産する場合の施肥設計を例示する図である。
【００３２】
図４（ａ）に示すように、苗木２１を生産する１年目には、１月中下旬にカラタチの種２１２を水田に蒔く（図３（ａ）参照）。このとき、元肥は、従来よりも少なくして肥料濃度を抑えておき、根が出にくくなること及び台木２１０が最初から栄養生長に傾いてしまうことを防止する。特に、元肥は、窒素Ｎが多くなりすぎないように注意されている。
【００３３】
種２１２が発芽した後は、発根時期以外の期間に施肥を行って、実生のカラタチの株２１３（図３（ｂ）参照）を成長させる。株２１３の発根時期は、例えば５月下旬から６月中旬頃、７月下旬から８月中旬頃、及び１１月中旬頃の３回／年である。なお、発根時期は、常に施肥禁止とすることを基本としている。
【００３４】
そして、株２１３を水田で約１年間成長させる（台木２１０の実生）。また、苗木２１を生産する１年目の１０月頃には、株２１３の植替え先（図３（ｂ）参照）に元肥を与える。植替え先に与える元肥は、株２１３の植替え時期の例えば約３か月前に行われる。株２１３の植替え先の土壌が例えばｐｈ４以上７未満（好ましくはｐｈ５〜６）の弱酸性でない場合には、土壌の酸性度をｐｈ４〜７（好ましくはｐｈ５〜６）の弱酸性に調整しておく（酸性度調整工程）。そして、作業者は、土壌に対して大豆及びトウモロコシを含む飼料を元肥として施肥する（元肥工程）。飼料の大豆には、タンパク質、サイトカイニン及びオーキシンが多く含まれている。また、飼料のトウモロコシには、タンパク質、サイトカイニン及びオーキシンが多く含まれている。この飼料の元肥により試験した結果によれば、株２１３は、細根２２（図２参照）が多い生殖生長に傾けられる。この株２１３は、側芽の成長が促されて複芽が出たものと考えられる。
【００３５】
また、元肥には、図５にも示すように、例えば１０ａ当たりに石灰窒素２０ｋｇ、ケイ酸カルシウム１００ｋｇ、木灰２００ｋｇなどが含まれる。また、元肥には、油粕、米ぬか、大豆粕、小麦粕などが含まれていてもよい。ただし、粕には窒素が含まれているので、元肥の窒素が多くなりすぎないようにする必要がある。また、元肥には、化学肥料は含まれないものとする。元肥において、窒素が過剰に含まれていたり、化学肥料が含まれていると、細根２２が枯れやすくなってしまう。
【００３６】
図４（ｂ）に示すように、苗木２１を生産する２年目には、１月中下旬に株２１３を水田から植え替えて二列植えにする（図３（ｂ）参照）。そして、二列植えした株２１３に対し、発根時期を避けて施肥を行う。
【００３７】
具体的には、図５にも示すように、苗木２１を生産する２年目には、例えば２月下旬頃に１０ａ当たり１００ｋｇの油粕（５−３−２）を二列植えした株２１３に与える。なお、５−３−２は、窒素Ｎが５％、リン酸Ｐが３％、カリウムＫが２％含まれている配合を示している。続いて、１０ａの二列植えした株２１３に対して、４月中下旬には６０ｋｇの化学肥料（８−８−８）、７月中下旬には１００ｋｇの油粕（５−３−２）、９月上中旬には８０ｋｇの化学肥料（６−３−１）を与える。なお、各時期に与える肥料は、それぞれ複数回に分けて与えられることが好ましく、例えば施肥回数を年間７〜８回に分けて、１回当たりの施肥量を抑えて、肥料濃度が高くなることを防止されることが好ましい。また、年間の総施肥量は、年３回の発根及び発芽を促すことができる量に抑えられ、高濃度の施肥にならないようにされている。
【００３８】
表層に細根２２を配置された苗木２１は、乾燥しやすい表層で効率的に養分を吸収する。例えば、肥料として与えられた窒素Ｎは雨によって流れやすいが、苗木２１は窒素Ｎを与えられただけ吸収する。窒素Ｎは、植物を大きく成長させるため、苗木２１に与えられすぎると強く栄養生長を旺盛にしてしまうため、苗木２１の生殖生長を旺盛にしておく期間には施肥量が少なくされる。
【００３９】
リン酸Ｐは雨では流れにくく、苗木２１は必要以上のリン酸Ｐを吸収しない。リン酸Ｐは、主に生殖生長を促すが、施肥した場所に留まりやすく比較的吸収されにくいため、苗木２１の表層の細根２２によって吸収される。
【００４０】
カリウムＫは雨によって多少は流れるが、苗木２１はカリウムＫを与えられただけ吸収する。カリウムＫは、根の生長にも作用するため、リン酸Ｐと同様に、苗木２１の表層の細根２２によって吸収されることにより、生殖生長を促す。
【００４１】
苗木２１を生産する３年目には、細根２２が枯れないように株２１３が植えられたままで接ぎ木を行う。苗木２１に対する施肥は、２年目と同様に、回数を年間７〜８回に分けて、１回当たりの施肥量を抑えて行われる。肥培管理は、苗木２１の状態に応じて行われる。
【００４２】
また、接ぎ木された苗木２１には、春芽が伸びる期間に、タケノコから抽出したタケノコエキスを液肥として散布する。タケノコエキスは、細かく刻んだタケノコを同量の黒砂糖に漬け込み、重石などで加重することによって一晩で抽出される液肥である。タケノコエキスは、約２０００倍に薄められ、除草剤と混ぜられて葉面散布される。タケノコエキスは、春芽が伸びる期間にだけ用いられ、生殖生長を保ったままで枝を長く伸ばさせる作用があると思われる。タケノコエキスが散布された苗木２１は、芽かきをされていなくても、春芽から伸びる夏秋芽が１〜２本に制限される。このように、タケノコエキスは、苗木２１に対して芽かきや剪定を不要にする効果が確認されている。
【００４３】
また、苗木２１は、生殖生長に傾いているために、接ぎ木後に着花する場合がある。接ぎ木後の苗木２１の花は、略全て摘花する（摘花工程）。なお、苗木２１は、着花するほど生殖生長に傾いているため、２年生で定植に用いられてもよい。
【００４４】
このように、図２〜図５に示す実施形態において、苗木２１の生産方法は、結果数が相対的に多い木から優先させて取得した穂木２１１を台木２１０に接ぎ木する接ぎ木工程と、台木２１０の根の切り詰めをせず、接ぎ木した穂木２１１に対し、芽かき及び主幹の切り戻しをすることなく、所定の高さを超えた場合に摘心する摘心工程とを含むことを特徴とする。これにより、果実の成りグセを接ぎ木によって引き継がせつつ、結果母枝となる発育枝の数を増やして、枝と根の両方を縦ではなく横に成長させる樹形の基礎を形成させることができる。また、発育枝と根を減らさないことにより、枝と根の両方から生殖生長に傾けることができる。
【００４５】
また、台木２１０は、実生の株から所定の方向に離れた所定位置にのみ施肥する株施肥工程を含む方法で生産したものであることを特徴とする。これにより、根に濃度の高い肥料を与えることを防止することができるので、根の成長を促すことができる。また、根の伸びる方向も所定の方向に仕向けることができる。
【００４６】
また、株施肥工程は、年３回の発根及び発芽を促す総施肥量を年７回以上に分けて施肥する工程であることを特徴とする。これにより、根に濃度の高い肥料を与えることを防止することができるので、根の成長を促すことができる。また、施肥の回数を増やすことにより、総施肥量を低減することが可能となる。
【００４７】
また、株施肥工程は、発根時期以外の期間に施肥する工程であることを特徴とする。これにより、肥料による発根時期のずれを防止することができ、根の成長を促すことができる。
【００４８】
また、苗木２１の生産方法は、略全ての花を摘む摘花工程をさらに含むことを特徴とする。これにより、苗木２１を生殖生長に傾けつづけることを容易にすることができる。
【００４９】
また、苗木２１の生産方法は、タケノコから抽出したタケノコエキスを穂木２１１に散布する工程をさらに含むことを特徴とする。例えば、タケノコの成長の速さを苗木２１に与えることも可能と思われる。また、穂木２１１にタケノコエキスを散布すると、苗木２１の芽数を減らすことができ、芽かきをすることなく、少ない数の芽を生殖生長させることが可能である。
【００５０】
また、苗木２１が２年生であることを特徴とする。すなわち、生殖生長に傾いた苗木２１は、２年生であっても定植して栽培することができ、最初の収穫までの期間を短くすることができる。
【００５１】
また、苗木２１は柑橘類であることを特徴とする。これにより、柑橘類が生殖生長でありつづけるために、将来の木の高さが高くなりすぎることを予防することができ、収穫作業を容易にすることが可能になる。
【００５２】
また、細根２２は、太さが２ｍｍ以下の根であることを特徴とする。特に、太さが２ｍｍ以下である細根２２は、土からの養分を吸収する能力が高いとされている。
【００５３】
（定植）
次に、生殖生長に傾けられた苗木２１を果樹園などに定植する方法について、図６〜図１３を用いて説明する。作業者は、以下に示す方法によって苗木２１を定植する。
【００５４】
図６は、苗木２１を植える植え溝２２０を形成する様子の一例を模式的に示した図である。
【００５５】
作業者は、苗木２１を定植するために、例えば山の斜面をならして形成した果樹園となる法面２２２に対し、ブルドーザを用いて複数の植え溝２２０を形成する。法面２２２は、例えば約１０度の傾斜であるとするが、約１０度よりも大きな傾斜であってもよいし、小さな傾斜であってもよい。また、法面２２２は、ここでは傾斜のない平地であってもよいものとする。
【００５６】
ブルドーザは、例えば左右に無限軌道（クローラ）３０を備え、不整地であっても前後左右に移動することができるようにされている。また、ブルドーザは、例えばアングル角、チルト角及びピッチ角を調整することができる排土板３１が前方に設けられており、土を押しながら右又は左に土を寄せることができるようにされている。アングル角は、排土板３１及びブルドーザを上方から見た場合のブルドーザの進行方向に対する排土板３１の角度である。また、チルト角は、排土板３１を後方から見た場合の水平方向に対する排土板３１の角度である。ピッチ角は、排土板３１及びブルドーザを側方から見た場合の地面に対する排土板３１の刃先の角度である。なお、図６においては、ブルドーザの無限軌道３０の一方と、排土板３１のみを正面から見た状態が模式的に示されている。
【００５７】
作業者は、法面２２２の等高線に対して少し傾いた方向へブルドーザを進めながら、排土板３１によって表層の土を連続して削り取り、無限軌道３０によって土を踏み固めながら、所定の方向に延びる植え溝２２０を形成する。つまり、植え溝２２０は、排土板３１によって削り取られた後に無限軌道３０によって踏み固められた下面２２４と、削り取られて切り立つ側面２２６を有する。
【００５８】
下面２２４は、無限軌道３０による加圧によって固められることにより、苗木２１の根が下面２２４に向かって伸びることを制限している。また、側面２２６は、削り取られた状態、又は排土板３１による加圧などによって固められることにより、苗木２１の根が側面２２６に向かって伸びることを制限している。下面２２４及び側面２２６は、防根シート又はコンクリートなどの根の伸びる方向を制限する防根部材によって形成されてもよい。
【００５９】
次に、作業者は、ブルドーザを法面２２２の下方に移動させ、形成した植え溝２２０に対して略平行に次の植え溝２２０を形成する。ここで、植え溝２２０と次の植え溝２２０との間隔は約４ｍとなるようにされている。そして、作業者は、さらにブルドーザを進め、果樹園全体に約４ｍ間隔で略平行に複数の植え溝２２０を形成する。
【００６０】
図７は、ブルドーザにより複数の植え溝２２０を形成する過程の一例を模式的に示す図である。図７に示すように、作業者は、例えば山の傾斜に形成された果樹園２２１に対し、等高線に対して右又は左に少し傾くようにブルドーザを進めながら、複数の植え溝２２０を形成する（植え溝形成工程）。また、果樹園２２１の左右には、ブルドーザを斜面の上下方向に移動可能にさせる通路２２３が確保されており、ブルドーザが複数の植え溝２２０を一筆書きのように連続して形成できるようにされている。
【００６１】
次に、植え溝２２０それぞれに上述した苗木２１を配列させて定植するために、複数の苗木２１を植え溝２２０の近くに準備する。上述したように、苗木２１は、生殖生長に傾けられて、太い主根の形成が抑えられており、細根２２の数が増やされている。したがって、苗木２１は、根に蓄えている水分が少なく乾燥しやすいため、定植の準備として例えば日なたに３０分以上放置してしまうと、乾燥して細根２２が枯れてしまうことになる。
【００６２】
そこで、苗木２１の細根２２を乾燥させることなく、苗木２１を植え溝２２０に定植するために、植え溝２２０の近くで苗木２１の細根２２を水につけておく。又は、苗木２１の細根２２に対して水をかける、ビニールで細根２２をつつむ、苗木２１を日陰に置くなどして、特に細根２２が乾燥することを抑制する。また、苗木２１の細根２２を乾燥させないために、植え終わるまでの時間を短くするように時間管理をしてもよい。
【００６３】
苗木２１は、水分を多く含む根を持たず細根２２が多くなるように生産されているため、従来の苗木に比べて、乾燥をさらに強く抑制する工程が重要である。特に、太さが１ｍｍ以下の細根２２は、土から養分を吸収する生理活性が高いが、枯れ死もしやすい。このように、苗木２１は、細根２２が乾燥することを抑制する乾燥抑制工程によって、短期間で容易に強く生殖生長に傾けられる特徴を維持しつつ、枯れることなく定植される。
【００６４】
図８は、乾燥を抑制された苗木２１を植え溝２２０に並べた状態の一例を示す図である。図８に示すように、植え溝２２０には、複数の苗木２１の根がそれぞれ約１ｍ間隔で並べられる。このとき、作業者は、苗木２１の根を法面２２２の下方に向けて曲げて植え溝２２０に配置することにより、苗木２１の根が地中に向けて伸びることを抑制しつつ、細根２２を土地の表層のみに配置する定植工程を行う。
【００６５】
より具体的には、作業者は、例えば下面２２４に対して略直交し、側面２２６に対して逆方向となるように根を曲げて、苗木２１を植え溝２２０に並べる。つまり、定植工程には、地中に向かう方向に対して交差する方向又は逆方向に向けて苗木２１の根を曲げることにより、苗木２１の根が地中に向けて伸びることを抑制する根曲げ工程を含む。また、定植工程は、加重又は加圧により土を固められた下面２２４及び側面２２６、又は防根部材により根の伸びる方向を制限することにより、苗木２１の根が地中に向けて伸びることを抑制する方向制限工程も含んでいる。
【００６６】
ここで、苗木２１を約１ｍ間隔で並べるために、例えば１ｍ毎に印をつけたヒモを植え溝２２０上に張り、印ごとに石灰をまいて、石灰の位置を苗木２１の配置の目安としてもよい。
【００６７】
そして、植え溝２２０に並べられた複数の苗木２１を複数の協力者によって立てて支えてもらった状態で、作業者は、植え溝２２０の上方の法面２２２の土をブルドーザの排土板３１によって削りつつ、削った土を植え溝２２０へ寄せて、苗木２１それぞれの根に土をかぶせる。苗木２１は、それぞれ図示しない支柱に固定されて支えられてもよい。
【００６８】
図９は、削った土を植え溝２２０へ寄せて、苗木２１それぞれの根に土をかぶせた状態の一例を模式的に示す図である。図９に示すように、作業者は、ブルドーザの排土板３１によって苗木２１と他の列の苗木２１との間の法面２２２を削ることにより、作業道２２８を形成しつつ、土を側方に寄せて法面２２２の下方の苗木２１にかぶせる（土寄せ工程）。なお、図９においては、ブルドーザは、正面から見た排土板３１のみを示している。
【００６９】
このように、ブルドーザによって土を寄せて苗木２１に土をかぶせるので、例えば３０分で５００本の苗木２１を植えることも、１日で２．５ｈａに３５００本の苗木２１を植えることも可能である。なお、苗木２１が土によって深く埋まりすぎた場合には、苗を引き上げて接ぎ木部分を地上に出しておく。接ぎ木部分が地中にあると、接ぎ木部分から虫（カミキリムシなど）が侵入するなどの被害が生じるためである。
【００７０】
ここで、苗木２１の列と、下方の苗木２１の列との間隔（列間Ａ：図１参照）は、約４ｍである。作業道２２８は、約４ｍの列間Ａの略中央に幅が約２ｍとなるように形成される。作業道２２８は、法面２２２の上方の列間Ａで形成された後、順に下方の列間Ａで形成される。苗木２１に対する土寄せと、作業道２２８の形成が終わった後には、列間Ａをブルドーザによって整地しておく。
【００７１】
図１０は、作業道２２８に水はけ溝２３０を形成する方法の一例を模式的に示す図である。作業者は、苗木２１の定植が終わった後、水はけ溝２３０を形成するための削り板３２をブルドーザの排土板３１の下部に取り付ける。削り板３２は、作業道２２８の中央に深さ約１５ｃｍの水はけ溝２３０を形成することができるように、例えば中央部分が下方に約１５ｃｍ突出する逆二等辺三角形に形成された鉄の板状部材である。作業者は、削り板３２が取り付けられた排土板３１を作業道２２８上で進めることにより、作業道２２８の略中央に深さ約１５ｃｍの水はけ溝２３０を形成する（水はけ溝形成工程）。なお、図１０においては、ブルドーザは、正面から見た排土板３１及び削り板３２のみを示している。
【００７２】
図１１は、果樹園２２１における水はけ溝２３０の形成例の一例を模式的に示す図である。水はけ溝２３０は、苗木２１の列間で左右の２方向に雨水が流れるように傾斜させられ、一方向に傾く長さＤが例えば７０〜８０ｍにされている。雨水が一方向に流れる距離が長すぎると、水流が強くなりすぎて、土が流されてしまうからである。
【００７３】
図１２は、果樹園２２１における水はけ溝２３０の形成の変形例の一例を模式的に示す図である。水はけ溝２３０は、苗木２１の列間で左右のいずれかに雨水が流れるように傾斜させられ、一方向に傾く長さが例えば７０〜８０ｍにされている。また、果樹園２２１の横方向の長さが１６０ｍを超えて例えば約５００ｍある場合には、７０〜８０ｍ毎に縦水路２３２が設けられてもよい。
【００７４】
縦水路２３２は、水はけ溝２３０から流れてくる雨水などを山の斜面に沿って流す。縦水路２３２は、水はけ溝２３０よりも流れる水量が多くなるため、例えばコンクリートで固められた水路にされる。
【００７５】
このように、図６〜図１２を用いて説明した方法により、図１に示した植栽が実現される。そして、作業者は、作業道２２８及びその周辺（列間Ａ）に例えばイタリアンライグラスの種を蒔き、イタリアンライグラスの根が土を保持する力により、雨などによって土が流れることを防止し、実現した植栽の形態を維持する（種蒔き工程）。つまり、イタリアンライグラスは、果樹園２２１の形態がくずれることを防止する土留めとして機能する。イタリアンライグラスは、硫酸アンモニウム又は尿素が施用されることによって盛んに生育する。
【００７６】
図１３は、定植された実施例の苗木２１と、比較例の苗木１１とを示す図である。図１３（ａ）は、定植された実施例の苗木２１を示す。図１３（ｂ）は、定植された比較例の苗木１１を示す。
【００７７】
図１３（ａ）に示すように、実施例の苗木２１は、細根２２が下面２２４及び側面２２６へ向かって伸びないように、法面２２２の下方に向けて広げず丸めて曲げられているので、表層へ向けて細根２２が伸びやすくなっている。また、苗木２１の細根２２は、地表から１０ｃｍ以下の場所にも多く伸び、地表へ出ることもある。苗木２１は、傾斜がある場所に植えられているために水はけもよく、作業道２２８が形成された約４ｍの列間Ａが設けられているために、日当たりも風通しもよい。つまり、苗木２１は、乾燥しやすい土による乾燥ストレスを受けやすくされている。
【００７８】
苗木２１に対して施肥を行う場所は、一定にされている。具体的には、施肥は、苗木２１に対して法面２２２の上方に行われ、雨などで下方に流れた肥料を苗木２１が表層の細根２２で吸収する。特に、リン酸Ｐは、雨などでは流れにくく、地中に入り込まないため表層の細根２２により吸収される。このように、苗木２１に対しては、雨水の流れの上手となる離れた所定位置にのみ施肥する（施肥工程）。施肥は、苗木２１それぞれの中間に行われてもよい。
【００７９】
細根２２は、上述したように一般には太さが２ｍｍ以下の根であるとされている。特に太さが１ｍｍ以下の細根２２は、土から養分を吸収する生理活性が高いが、枯れ死もしやすい。細根２２は、土の中で乾燥などによって枯れ死すると土に対して養分を供給する。つまり、苗木２１の細根２２は、表層に配置されることにより、養分を吸収しやすい環境と、乾燥しやすい環境の中に置かれ、成長と枯れ死を繰り返しながらさらに表層に広く張り巡らされる。例えば、苗木２１は、成長すると細根２２が作業道２２８（図１０参照）の中央辺りまで伸びる。
【００８０】
ただし、細根２２は、肥料濃度が高い場合には発根しなくなるため、施肥量を少なめにされる。このように、苗木２１は、水分が少ない乾燥ストレスや、肥料が少ない飢餓ストレスにより生殖生長に傾けられる期間が長くされ、大木になることが抑制される。苗木２１は、定植直後や、定植後３年目以降の樹勢が弱くなりすぎた場合などには、施肥や液肥の葉面散布などによって樹勢を一時的に回復させられる。
【００８１】
図１３（ｂ）に示すように、比較例の苗木１１は、できるだけ早く大きくさせることを目的として、根が深く太く伸びるように、深く大きな植穴１０３に植えられる。植穴１０３は、下層に堆肥が投入され、土で堆肥が覆われた状態が作られて、苗木１１が１本ずつ植えられる。苗木１１は、根が堆肥のある地中に向けて太く長く伸び、枝も大きく高く育つ栄養生長に強く傾く。このように、定植時に栄養生長に強く傾いた苗木１１は、生殖生長に強く傾けることは容易にはできなくなってしまう。したがって、結果する時期が大木になってからになる傾向が強く、結果するまでの期間も長くなってしまう。
【００８２】
図１４は、比較例の苗木１１が定植された状態の一例を示す図である。図１４に示すように、比較例の苗木１１は、平らにされた土地に定植され、栄養生長に強く傾いてしまっている。また、苗木１１は、１０ａ当たりに３３〜１００本程度が植えられ、大木にされていた。また、苗木１１は、マルチ栽培にされると、地温が６０〜７０度まで上昇してしまい、細根２２が枯れてしまう。また、１０ａ当たりで５ｔの収量を得ようとすると、１本当たりの収量を多くする必要があるため、苗木１１は大木にされる必要があった。苗木１１が大木になるためには、１５年かかることもあった。しかし、隔年結果となり、果実の糖度を上げることも困難であった。
【００８３】
このように、図６〜図１３に示す実施形態は、苗木２１の細根２２が乾燥することを抑制する乾燥抑制工程と、苗木２１の根が地中に向けて伸びることを抑制しつつ、細根２２を土地の表層のみに配置して、苗木２１を定植する定植工程とを含むことを特徴とする。これにより、含有する水分量が少なく枯死しやすい細根２２を土地の表層に張り巡らせることを促し、根が地中に向けて伸びて苗木２１が強く栄養生長に傾くことを抑制することができる。すなわち、苗木２１が表層から養分を吸収する活性の高い表層根を増やすことができ、定植が安定した後に、苗木２１を短期間で容易に強く生殖生長に傾けることができる。
【００８４】
また、定植工程は、地中に向かう方向に対して交差する方向又は逆方向に向けて苗木２１の根を曲げることにより、苗木２１の根が地中に向けて伸びることを抑制する根曲げ工程を含むことを特徴とする。これにより、地中に向けて太く伸びて主に水分だけを吸収する根（パイオニアルート１２：図２（ｂ）参照）の発生を容易に抑えることができる。
【００８５】
また、定植工程は、加重若しくは加圧により土を固めること、又は防根部材により根の伸びる方向を制限することにより、苗木２１の根が地中に向けて伸びることを抑制する方向制限工程を含むことを特徴とする。これにより、パイオニアルート１２が地中に向かって伸びることを抑制できるので、表層根を増やすことができ、苗木２１を容易に生殖生長に傾けることができる。
【００８６】
また、定植工程は、法面の表層で所定の方向に延びる植え溝２２０をブルドーザによって形成する植え溝形成工程と、植え溝２２０に細根２２を配置して、ブルドーザにより土を寄せて苗木２１の根に土をかぶせる土寄せ工程とを含むことを特徴とする。これにより、所定の方向に延びる植え溝２２０を容易に形成することができるので、苗木２１を１本ずつ植え付けるための大きな植穴１０３（図１３（ｂ）参照）を掘る必要がない。さらに、苗木２１の根に土をかぶせる作業も容易となり、容易に細根２２を土地の表層のみに配置することができる。
【００８７】
また、植え溝形成工程は、略平行に並ぶ複数の植え溝２２０を形成する工程であり、土寄せ工程は、ブルドーザによって複数の植え溝２２０の間に作業道２２８を形成しつつ土を寄せて苗木２１の根に土をかぶせる工程であることを特徴とする。これにより、苗木２１の根に土をかぶせる土寄せと、作業道２２８の形成とを並行して行うことができ、作業の効率を向上させることができる。
【００８８】
また、植え溝２２０に対して略平行に水はけさせるように傾斜する水はけ溝２３０を作業道２２８に形成する水はけ溝形成工程をさらに含むことを特徴とする。これにより、定植を行った土地の形態が雨などによって崩されることを防止しつつ、苗木２１に対する水はけのよい環境を容易に形成することができる。
【００８９】
また、土が流れないように根によって土を保持する他の植物の種を作業道２２８に蒔く種蒔き工程をさらに含むことを特徴とする。これにより、定植を行った土地の形態が雨などによって崩されることを容易に防止することができる。
【００９０】
また、複数の植え溝２２０は、それぞれ間隔が約４ｍであり、作業道２２８は、それぞれ幅が約２ｍであることを特徴とする。これにより、苗木２１に対して十分な日光の照射と風通しを与え続けることができる。また、作業道２２８にさまざまな機械を通すことができ、機械を用いた葉面散布なども容易となる。
【００９１】
また、定植工程は、複数の植え溝２２０それぞれに複数の苗木２１を約１ｍ間隔で並べて定植する工程であることを特徴とする。これにより、定植工程を容易にし、単位面積当たりの収穫量を多くすることができる。また、苗木２１に対して十分な日光の照射と風通しを与え続けつつ、苗木２１が成長した後に密植となることにより、所定の方向でのみ重なる葉が互いに日光を遮る機会をつくることができ、苗木２１が成長した後にも生殖生長に傾けつづけるストレスを部分的に与えることができる。また、ミカンの木２０が密植となった場合でも、十分な日光の照射と風通しを与え続けつつ、生殖生長をつづけさせることができる。また、ミカンの木２０が生殖生長でありつづけるために、木の高さが高くなりすぎることを防止することができ、収穫作業を容易にすることができる。
【００９２】
（栽培管理）
次に、定植された苗木２１（ミカンの木２０）の栽培管理について説明する。
【００９３】
図１５は、定植１年目の栽培管理スケジュールの一例を示す図である。作業者は、苗木２１（ミカンの木２０）を定植する年には、以下の工程を行う。
【００９４】
まず、２月の上旬頃に苗木２１を定植（Ｓ１００）したときに、例えば１０００倍に薄めた尿素を灌注し（Ｓ１０２）、活着をよくする。また、定植した苗木２１を支柱などに結んで支えるようにする（Ｓ１０４）。そして、苗木２１の列の周囲の土が雨などで流れることを防止するために、例えばイタリアンライグラスの種などを蒔いて施肥をする（Ｓ１０６）。
【００９５】
定植の１週間後から５月末頃の最初の発根時期までに、苗木２１に対して施肥を行う（Ｓ１０８）。また、この時期に、ワカメから抽出したワカメエキスや、タケノコから抽出したタケノコエキスを葉面散布する（Ｓ１１０）。
【００９６】
ワカメエキスは、細かく刻んだワカメと、ワカメと同量の黒砂糖とをタンクの中に交互に投入し、ワカメを黒砂糖に３〜４ヶ月漬け込んでおくことによって抽出される海藻液肥である。海藻液肥は、植物の光合成を活性化させると言われている。
【００９７】
ワカメエキスは、約２０００倍に薄められて葉面散布される。例えば、ワカメエキスは、除草剤に混ぜられ、約１０日おきにＳＳによって散布される。ワカメエキスは、葉面散布によって樹勢を回復させる効果もあるが、花が満開の時期に散布されると、果実の生理落下を促してしまう。また、ワカメエキスは、８月中旬以降に散布されると、果皮をまだらにさせてしまうことがある。このため、ワカメエキスは、３〜５月に主に用いられる。なお、ワカメエキスは海藻エキスの一例であり、葉面散布に用いられる海藻液肥は、ワカメエキスに限定されず、他の海藻エキスであってもよい。
【００９８】
ここで、苗木２１は、定植直後から最初の発根時期までの間には、一時的に栄養生長に傾けられる。しかし、苗木２１は、容易に生殖生長に傾けられるように生産されているので、定植１年目の後半には短期間で生殖生長に切り替えられる。
【００９９】
苗木２１は、生殖生長に傾けられて果実の成りグセがつくように生産されているので、定植直後の６月頃に着果するが、この時には略全摘果してさらに果実の成りグセをつけておく（Ｓ１１２：全摘果工程）。全摘果の時期が早すぎる場合、苗木２１は、栄養生長に傾いてしまう。また、全摘果の時期が遅い場合、苗木２１は、秋枝が伸びなくなってしまう。全摘果の時期は、果実が１〜１．５ｃｍぐらいになったときが好ましい。このように、定植した年には全摘果して、結果母枝を出させる。なお、翌年以降は無摘果とする。
【０１００】
その後、苗木２１に対して７月下旬頃からの２度目の発根時期までに施肥を行う（Ｓ１１４）。ここでの施肥には、大豆及びトウモロコシを含む飼料が用いられてもよい。定植の１週間後から７月下旬頃までの施肥の回数は、例えば４回ぐらいである。最初の１，２回の施肥量は、ミカンの木２０に対して硫酸アンモニウムと尿素をそれぞれ１本当たりに一握り程度とする。３，４回目の施肥量は、ミカンの木２０に対してボカシ肥（又は人糞、化学肥料）を１本当たり数ｋｇとする。
【０１０１】
上述したように、発根時期は、発根を促すために施肥禁止である。また、定植１年目において、７月下旬頃からの２度目の発根時期以降は、苗木２１を生殖生長に傾けるために施肥を行わない。この期間に、苗木２１は、乾燥ストレスと飢餓ストレスを受けることにより、恒常性を維持するように機能して、定植２年目の良質な多くの結果をするようになる。
【０１０２】
図１６は、定植後２年目の栽培管理スケジュールの一例を示す図である。作業者は、苗木２１（ミカンの木２０）の定植後２年目には、以下の工程を行う。
【０１０３】
ミカンの木２０の定植後２年目には、果樹園がやせ地である場合を除き、施肥を行わない。１月に春草を除草し（Ｓ１１６）、４月に春芽が出ていることを確認したら、５月頃に除草し（Ｓ１１８）、７月頃に夏草の除草を行う（Ｓ１２０）。２月以降の春草の除草は、不要である。定植後２年目以降は、花が満開のときに間引き剪定を行って花芽調整してもよい。６月の発根時期の頃は、除草も禁止とする。そして、１１月〜１２月頃に、高さが高くなることを抑制されたミカンの木２０から良質な多くの果実を収穫する（Ｓ１２２）。このように、ミカンの木２０の定植後２年目は、剪定や施肥が不要であるため、必要な作業が従来に比べて非常に少なくなっている。
【０１０４】
また、ミカンの木２０は、生殖生長であるために樹高が低いことに加えて、多くの果実が成って枝が垂れ下がっているため、収穫作業も容易である。収量は、例えば１０ａ当たり５ｔである。このとき、１０ａ当たり２５０本のミカンの木２０が定植されていれば、１本当たり２０ｋｇの収量でもよいこととなる。また、ミカンの木２０は、果梗枝が細く、群状結果となって、果実１つ当たりの葉の数は１０枚以下である。また、ミカンの木２０は、収穫期には花芽も形成しており、基部から結果母枝となる発育枝も出して、連年結果をさせていく。収穫後の果実がなくなったミカンの木２０は、栄養生長に傾きやすくなっている。よって、収穫後は、ミカンの木２０が萎えた状態であってもいわゆるお礼肥は禁止である。
【０１０５】
図１７は、定植後３年目〜１５年目までの栽培管理スケジュールの一例を示す図である。作業者は、苗木２１（ミカンの木２０）の定植後３年目〜１５年目までの期間には、以下の工程を行う。
【０１０６】
ミカンの木２０の定植後３年目〜１５年目までは、確実に着花させるため、１月の花芽形成が終わったことを確認して、１月中旬頃から４月頃までの間に施肥を行う（Ｓ１２４）。ここでの施肥は、乾燥ストレスや飢餓ストレスを受けたミカンの木２０の樹勢を多少戻す程度の施肥量とする。４月に春芽が出ていることを確認したら、５月頃に除草し（Ｓ１２６）、７月頃に夏草の除草を行う（Ｓ１２８）。６月の発根時期の頃は、除草も禁止とする。施肥は、樹勢しだいで行う。また、定植後３年目以降には、ミカンの木２０が育ってきているので、ミカンの木２０の下は木陰となるため、夏草の成長も少なくなり、除草作業も少なくなる。
【０１０７】
そして、１１月〜１２月頃に、高さが高くなることを抑制されたミカンの木２０から良質な多くの果実を収穫する（Ｓ１３０）。ミカンの木２０は、定植後３年目以降も、例えば４，５年以上は剪定が不要であり、必要な作業が従来に比べて非常に少なくなっている。剪定を行ってしまうと、栄養生長に傾いてしまうためである。また、ミカンの木２０は、生殖生長であるために樹高が低く、太く大きな枝もないため、多くの果実が群状結果となって枝が垂れ下がり、１０年経過しても高さが２ｍ程度である。例えば、ミカンの木２０は、主幹から直接結果枝を出したりする。なお、収穫後の果実がなくなったミカンの木２０に対しては、上述したようにお礼肥は禁止である。
【０１０８】
図１８は、定植後数年経過した実施例のミカンの木２０の収穫時期の状態の一例を模式的に示す図である。図１８（ａ）は、２つのミカンの木２０の列と、作業道２２８との位置関係の一例を模式的に示している。図１８（ｂ）は、１列のミカンの木２０の状態の一例を模式的に示している。
【０１０９】
収穫時期のミカンの木２０は、生殖生長を長い期間続けた細い枝に多くの果実をつけているため、果実の重みで大きく垂れ下がって地面に近づく枝もある。また、ミカンの木２０は、多くの枝が垂れ下がっていることによって、果実の重みと結果ストレスなどがかかり、生殖生長に傾いて樹高が高くなりにくくされている。そのため、ミカンの木２０は、樹高が１．３ｍ〜２ｍ程度のものが多く、作業者の目の高さで収穫が可能であるため、収穫作業も容易である。
【０１１０】
また、図１８（ａ）に示すように、ミカンの木２０は、列間に作業道２２８が設けられているため、成長した後にも十分に日光を受けることができ、風通しもよく、土の乾燥も促されている。また、ミカンの木２０は、果実の重みで多くの枝が垂れ下がっているために、全体的に上方からの日光を受けやすくなっている。ミカンの木２０は、果実の重みで枝折れが生じても、反動による芽吹きなどはしない。
【０１１１】
一般的に、ミカンは、日光が当たる外側から約１ｍの範囲に良質な果実が成る。外側から約１ｍの範囲よりも内側に成る果実は、糖度が上がらないなど、品質の低い果実となりやすい。実施例のミカンの木２０は、日光が当たる外側から約１ｍの範囲だけに枝を垂らしながら果実を多くつけるため、全体に良質な果実となっている。ミカンの木２０は、無摘果であるために個々の果実は摘果した場合よりも小さいが、皮やじょうのうが薄く糖度が高い。従来のように、大きな果実は糖度が上がらない。
【０１１２】
また、図１８（ｂ）に示すように、ミカンの木２０は、列内においては密植となっている。つまり、ミカンの木２０の葉は、隣に植えられているミカンの木２０の葉と接触し、ストレスを受ける。ミカンの木２０の葉は、日光の中の赤色の光を多く吸収して、濃い緑の色になる。隣のミカンの木２０の葉によって日光が遮られたミカンの木２０の葉や芽は、十分に赤色の光を吸収することができず、日光が遮られたことを感知して、日光を受けることができる方向へ伸びていく。それでも十分に日光を受けられない場合には、ミカンの木２０は、結果をさせる生殖生長に傾くと言われている。このように、ミカンの木２０は、成長後も生殖生長に傾くように一部の葉がストレスを受けつつ、１列のミカンの木２０が合わさって１つの樹のようになっている。よって、ミカンの木２０は、成長して密植となっても間伐する必要がない。また、ミカンの木２０は、剪定も４，５年以上必要ない。
【０１１３】
なお、ミカンの木２０は、定植後２０年を経過しても高さが高くなりすぎていなければ収穫が容易であるために問題はない。ただし、ミカンの木２０は、定植後１５年を経過して、乾燥ストレスや飢餓ストレスを受けた後の回復が遅くなった場合、又は高さが高くなりすぎて収穫しにくくなった場合などには、更新（苗木２１の植え直し）をされてもよい。
【０１１４】
図１９は、定植後数年経過した比較例のミカンの木１０（図２０参照）の収穫時期の状態の一例を模式的に示す図である。比較例のミカンの木１０は、苗木及び定植後の期間に強く栄養生長に傾いた期間が長く、例えば樹高が４ｍ以上にもなる。また、比較例のミカンの木１０は、幅が３〜４ｍにもなる。
【０１１５】
上述したように、ミカンは、日光が当たる外側から約１ｍの範囲よりも内側に成る果実は、糖度が上がらないなど、品質の低い果実となりやすい。そのため、ミカンの木１０は、主枝、亜主枝、側枝、結果枝を伸ばし、内側に品質の低い果実を着けてしまう。また、ミカンの木１０は、内側に日光を当てるために剪定されると、内側には良質の果実をつけるが、外側に果実をつけなくなってしまう。比較例のミカンの木１０は、大きく育って収穫できるまでに時間がかかり、高い場所の収穫も行いにくく、内側に品質の低い果実をつくってしまう。
【０１１６】
このように、図１５〜図１８に示す実施形態は、定植工程後の最初の果実を略全摘果する全摘果工程をさらに含むことを特徴とする。これにより、生殖生長に傾けつづけることを容易にすることができる。
【０１１７】
また、全摘果工程後の果実は無摘果とすることを特徴とする。これにより、定植後の２年目以降の果実の収穫数を多くすることができる。
【０１１８】
また、苗木２１に対し、雨水の流れの上手となる離れた所定位置にのみ施肥する施肥工程をさらに含むことを特徴とする。これにより、細根２２に濃度の高い肥料を与えることを防止することができるので、細根２２の成長を促すことができる。また、細根２２の伸びる方向も雨水の流れる方向に仕向けることができる。
【０１１９】
また、施肥工程は、発根時期以外の期間に施肥する工程であることを特徴とする。これにより、肥料による発根時期のずれを防止することができ、細根２２の成長を促すことができる。
【０１２０】
また、施肥工程は、定植工程を行った年の２度目の発根時期から、少なくとも翌年の花芽形成が終わるまでの期間以外の期間に施肥する工程であることを特徴とする。これにより、定植工程を行った年の後半に苗木２１が栄養生長に傾くことを防止することができ、実を毎年結ぶ連年結果の確実性を高めることができる。
【０１２１】
また、施肥工程は、定植工程を行った年の翌年以外の期間に施肥する工程であることを特徴とする。これにより、苗木２１が若い間に栄養生長に傾くことを防止することができ、連年結果の確実性を高めることができる。
【０１２２】
また、施肥工程は、定植工程を行った年の翌年の収穫後から花芽形成が終わるまでの期間以外に施肥する工程であることを特徴とする。収穫期は、花芽形成期でもあり、連年結果のために生殖生長である必要がある。また、植物は、果実がなくなると、栄養生長に移行しやすくなる。これにより、収穫後に樹勢を回復させるために与える肥料であるいわゆるお礼肥などを行わないことにより、栄養生長に傾くことを防止することができ、連年結果の確実性を高めることができる。
【０１２３】
また、定植工程を行った後、４年間は剪定しないことを特徴とする。これにより、作業量を低減させることができるとともに、後に実を結ぶ結果母枝となる発育枝の数を増やすことができる。
【０１２４】
また、ミカンの木２０の栽培方法には、定植工程により定植された苗木２１にタケノコエキスを散布する工程をさらに含むことを特徴とする。これにより、例えば、タケノコの成長の速さを苗木２１に与えることも可能と思われる。
【０１２５】
また、ミカンの木２０の栽培方法には、海藻から抽出した海藻エキスを苗木２１に散布する工程をさらに含むことを特徴とする。例えば、苗木２１から出た葉に対して海藻エキスを葉面散布した場合、葉による光合成を促進することができる。
【０１２６】
以上のように、本発明によれば、植替え後の作業量を低減しつつ、品質の良い果実の収穫量を多くすることを可能にすることができる。
【０１２７】
なお、上述した栽培方法で栽培する植物は、例えば、柑橘類に限らず、果実を実らせる植物全般を含むものとする。また、果実は、子房からなる真果、花托や果枝などを由来とする偽果も含むものとする。また、果実には、無核果である単為結果の果実、及び、果菜又は果物に分類されるものも含むものとする。具体的には、果実は、例えばいちご、きゅうり、なす、トマト、ピーマン、にがうり、すいか、豆、米などを含むものとする。
【符号の説明】
【０１２８】
２０・・・ミカンの木、２１・・・苗木、２２・・・細根、２１０・・・台木、２１１・・・穂木、２１２・・・種、２１３・・・株、２２０・・・植え溝、２２１・・・果樹園、２２２・・・法面、２２３・・・通路、２２４・・・下面、２２６・・・側面、２２８・・・作業道、２３０・・・水はけ溝、２３２・・・縦水路、３０・・・無限軌道、３１・・・排土板、３２・・・削り板
【図１】
2019058137.tif 000003
【図２】
2019058137.tif 000004
【図３】
2019058137.tif 000005
【図４】
2019058137.tif 000006
【図５】
2019058137.tif 000007
【図６】
2019058137.tif 000008
【図７】
2019058137.tif 000009
【図８】
2019058137.tif 000010
【図９】
2019058137.tif 000011
【図１０】
2019058137.tif 000012
【図１１】
2019058137.tif 000013
【図１２】
2019058137.tif 000014
【図１３】
2019058137.tif 000015
【図１４】
2019058137.tif 000016
【図１５】
2019058137.tif 000017
【図１６】
2019058137.tif 000018
【図１７】
2019058137.tif 000019
【図１８】
2019058137.tif 000020
【図１９】
2019058137.tif 000021
【図２０】
2019058137.tif 000022